(57)【要約】【課題】  無落雪住宅の排水溝に溜まるゴミの状態を視認しやすい、低コストの排水溝カバーを提供する。【解決手段】  無色透明または有色透明の樹脂板を折曲して一体成形したものであり、排水溝の上方を覆う天蓋部１１と、排水溝の上端部に嵌合させるための嵌合部２１とを備える。嵌合部２１は、天蓋部１１の左右両側部分に配してなり、天蓋部の左右両側の端縁から下方に立ち下げた第一垂壁部２２と、この第一垂壁部の下端縁から内側に向かって若干の傾斜角をもって折り曲げた傾斜面２３と、この傾斜面の内側端縁から下方に立ち下げた第二垂壁部２４と、この第二垂壁部の下方端縁から外側に向かって略水平に折り曲げた水平部２５と、この水平部の外側端縁から下方に立ち下げた第三垂壁部２６とを備えるよう構成する。また、天蓋部および第二垂壁部に、それぞれ複数個の孔部１７、２７を設ける。【選択図】    図１
0003159835.tif 000002
【実用新案登録請求の範囲】
【請求項１】
樹脂板を折曲形成してなる無落雪住宅の排水溝カバーであって、
この排水溝カバーは、
無色透明または有色透明の樹脂板を折曲して一体成形したものであり、
排水溝の上方を覆う天蓋部と、
排水溝の上端部に嵌合させるための嵌合部とを備え、
該嵌合部は、
天蓋部の左右両側部分に配してなり、
天蓋部の左右両側の端縁から下方に立ち下げた第一垂壁部と、
この第一垂壁部の下端縁から内側に向かって若干の傾斜角をもって折り曲げた傾斜面と、
この傾斜面の内側端縁から下方に立ち下げた第二垂壁部と、
この第二垂壁部の下方端縁から外側に向かって略水平に折り曲げた水平部と、
この水平部の外側端縁から下方に立ち下げた第三垂壁部とを備えるよう構成し、
前記天蓋部および前記第二垂壁部に、それぞれ複数個の孔部を設けたことを特徴とする無落雪住宅の排水溝カバー。
【請求項２】
天蓋部は、断面水平、断面逆Ｖ字、断面凸湾曲、断面Ｖ字、断面凹湾曲、のいずれか一つの形状を呈することを特徴とする請求項１記載の無落雪住宅の排水溝カバー。
【請求項３】
第一垂壁部、第二垂壁部、第三垂壁部は、上端から下端に向かって外側に若干の傾斜角をもって成形することを特徴とする請求項１または請求項２のいずれか一項に記載の無落雪住宅の排水溝カバー。
【考案の詳細な説明】
【技術分野】
【０００１】
本考案は、無落雪住宅の排水溝に配設する排水溝カバーに関する。
【背景技術】
【０００２】
冬期に多量の雪が降る降雪地では、住宅の屋根に積もった雪が建物の外側に落ちて人身事故等を起こすのを防止するため、図４、図５に例示するように、建物１の略中央部に向かって屋根面２を緩傾斜下降させた無落雪住宅（無落雪屋根の住宅）が広く知られている。
【０００３】
このような無落雪住宅の屋根面２には、建物の略中央に、雨雪水を集水して屋外へ排出するための排水溝５が設けられる。また、排水溝５の適当位置には、排水用のドレン（排水口；図示せず）が設けられ、当該排水口に接続させた排水管を介して雨雪水は屋外へと排出されるようになっている。
【０００４】
一方、排水溝５には外部から枯葉等のゴミが飛来して集まり、排水口（ドレン）を目詰まりさせる問題があった。かかる問題を解決するため、従来から、排水溝５には、ゴミよけネット等の被覆材を設けたり、硬質素材のカバー材を設けることがあった。
【０００５】
図６は、難錆金属であるアルミニウムまたは樹脂板を用いた、従来の排水溝カバー７を例示するものである。この排水溝カバー７は、二枚の板材７−１、７−２を組み合わせてなり、頂上稜線において一方の板材７−１の軸受け８が、他方の板材７−２の端縁を抱持して、拡開角度の調整が可能である。このため、排水溝５の幅が異なっても柔軟な幅調整が出来る。また、排水溝カバー７の両側に掛け渡したブリッジ（連結部；図示せず）によって、降雪重量に耐える強度を保証するようになっている（特許文献１）。
【先行技術文献】
【特許文献】
【０００６】
【特許文献１】特開２００１−３１７１６７号
【考案の開示】
【考案が解決しようとする課題】
【０００７】
いちばん大きな問題は、排水溝のドレンにゴミが溜まった場合に、それを視認しにくいという点である。
【０００８】
従来の無落雪住宅の排水溝カバーは、排水溝の上部を覆う構造であるため、排水溝にゴミが溜まるのを防止する効果はある。
【０００９】
しかしながら、春から冬になるまでの間に降る雨や、冬期の降雪が融けたときの融雪水を、排水溝に逃がすことが必要であることから、排水溝カバーの天蓋部分には必ず孔（排水孔）が設けられており、また、無落雪住宅の排水溝カバーは、排水溝の全長をカバーするように配されるわけではない。排水口（ドレン）まわりにだけ排水溝カバーを設けることも少なくない。
【００１０】
このため、排水孔から入り込むゴミや、排水溝カバーを設けていない部分から流れてくるゴミがドレン（排水口）に集まるが、従来の排水溝カバーはアルミニウム等の金属板等を組み合わせて成形しているため、排水口まわりのゴミの集まり具合は外部から視認しにくいものとなっている。
【００１１】
また、従来の排水溝カバーは、降雪の重量に耐える強度を確保するための連結材を設けるなど、構造が複雑であり製品コストの上昇を招いている。
【００１２】
そこで、本考案の目的は、無落雪住宅の排水溝に溜まるゴミの状態を視認しやすい、低コストの排水溝カバーを提供することにある。
【課題を解決するための手段】
【００１３】
前記目的を達成するため、本考案に係る排水溝カバーは、無色透明または有色透明の樹脂板を折曲して一体成形したものであり、排水溝の上方を覆う天蓋部と、排水溝の上端部に嵌合させるための嵌合部とを備え、該嵌合部は、天蓋部の左右両側部分に配してなり、天蓋部の左右両側の端縁から下方に立ち下げた第一垂壁部と、この第一垂壁部の下端縁から内側に向かって若干の傾斜角をもって折り曲げた傾斜面と、この傾斜面の内側端縁から下方に立ち下げた第二垂壁部と、この第二垂壁部の下方端縁から外側に向かって略水平に折り曲げた水平部と、この水平部の外側端縁から下方に立ち下げた第三垂壁部とを備えるよう構成し、前記天蓋部および前記第二垂壁部に、それぞれ複数個の孔部を設ける（請求項１）。
【００１４】
本考案に係る排水溝カバーは、無色透明または有色透明の樹脂板を折曲して一体成形するので、複数の板材を組み合わせて成形するよりも材料コストや製造コストを抑えることが出来、製品価格を抑制することが可能である。また、無色透明または有色透明の樹脂板を用いるので、排水溝カバーの外部から、ドレン（排水口）まわりに集まったゴミの状態を簡単に視認できる。排水溝カバーを取り外して点検する必要はない。メンテナンス上の作業効率が高まる。
【００１５】
従来の排水溝カバーのような連結材は設けない。無落雪住宅の屋根には、図７に示すように、屋内暖房の熱Ｈが小屋裏Ｒを通して常時加わっており、排水溝５まわりの雪Ｓ１は、すみやかに融ける。このため、排水溝カバーには大きな荷重はかかりにくく、従来の提案のような補強用の連結材を設けなくても排水溝カバーの破損は防止できるからである。なお、排水溝５まわりの雪Ｓ１の上部の雪Ｓ２は、摂氏０度に近い温度で残存し、この雪Ｓ２の上部の雪Ｓ３は外気温に近い温度で被さっている。外部から無落雪住宅の屋根の雪（Ｓ３）を観察すると、降雪の中に埋もれる排水溝カバーには大きな荷重がかかるように思えるが、実際には、小屋裏Ｒから与えられる熱Ｈよって最奥の雪（Ｓ１）は速やかに融けるので、降雪荷重に起因する排水溝カバーの変形や破損は連結材がなくても生じにくいと考えることが出来る。
【００１６】
天蓋部は、断面水平、断面逆Ｖ字、断面凸湾曲、断面Ｖ字、断面凹湾曲、のいずれか一つの形状を呈する場合がある（請求項２）。
【００１７】
すでに述べたように、排水溝カバーまわりの雪（Ｓ１）は、小屋裏Ｒから与えられる家屋内の熱Ｈによって融けるので、排水溝カバーにかかる加重負担は小さい。排水溝カバーの断面形状は、従来の山形（逆Ｖ字状）に限らず、断面水平、断面凸湾曲、断面Ｖ字（Ｖ字谷形）、断面凹湾曲（Ｖ字谷形湾曲）など、各種の形状をとることが可能である。
【００１８】
第一垂壁部、第二垂壁部、第三垂壁部は、上端から下端に向かって外側に若干の傾斜角をもって成形する場合がある（請求項３）。
【００１９】
透明な樹脂板を折曲成形する場合に、直角／垂直に無理な曲げ成形をするよりも、曲げの角度に余裕（あそび）をもたせて成形したほうが、成形加工も容易となるし、曲げ部分の強度を担保する点でも好ましいからである。
【考案の効果】
【００２０】
本考案に係る排水溝カバーによれば、無落雪住宅の排水溝に溜まるゴミの状態を外部から視認しやすく、製品コストも抑えることが可能となる。
【図面の簡単な説明】
【００２１】
【図１】実施形態に係る排水溝カバーを示す斜視図である。
【図２】実施形態に係る排水溝カバーを示す断面図である。
【図３】実施形態に係る排水溝カバーの装着状態を例示する図である。
【図４】無落雪住宅の屋根を例示する断面相当図である。
【図５】無落雪住宅の屋根を例示する斜視図である。
【図６】従来の排水溝カバーの装着例を示す図である。
【図７】無落雪住宅における暖房熱と積雪との関係を例示する図である。
【考案を実施するための形態】
【００２２】
図１、図２は、本考案に係る無落雪住宅の排水溝カバーを例示するものである。この排水溝カバー１０は、無色透明または有色透明の樹脂板を折曲して一体成形したものである。無色透明または有色透明であるから、排水溝カバー１０の外部から排水溝カバー１０の内側を視認できる。
【００２３】
具体的な構造は、排水溝の上方を覆う天蓋部１１と、排水溝の上端部に嵌合させるための嵌合部２１とを備える。
【００２４】
嵌合部２１は、天蓋部１１の左右両側部分に配してなり、天蓋部１１の左右両側の端縁から下方に立ち下げた第一垂壁部２２と、この第一垂壁部２２の下端縁から内側に向かって若干の傾斜角をもって折り曲げた傾斜面２３と、この傾斜面２３の内側端縁から下方に立ち下げた第二垂壁部２４と、この第二垂壁部２４の下方端縁から外側に向かって略水平に折り曲げた水平部２５と、この水平部２５の外側端縁から下方に立ち下げた第三垂壁部２６とを備えるよう構成してある。
【００２５】
また、天蓋部１１および第二垂壁部２４には、それぞれ複数個の孔部１７、２７を設けてある。なお、図３に、排水溝５に、この排水溝カバー１０を装着させた状態を例示する。符号Ｐは，無落雪屋根の葺き板である。
【００２６】
排水溝カバー１０を成形するための透明の樹脂板は、例えば、ポリカーボネート樹脂平板、塩化ビニル平板等を使用できる。これらは市場に広く流通しており、入手も容易であって製品価格も低廉である。
【００２７】
排水溝カバー１０の長手寸法は任意であるが、例えば、仮に長手寸法を１００ｃｍとした場合、透明樹脂板もそれに合わせて予め長手寸法を整えておくことが望ましい。
【００２８】
排水溝カバー１０の短手寸法は、概ね３０ｃｍ程度に設定することが望ましい。排水溝の幅が、概ね３０ｃｍ程度に設計されるからである。ただし、排水溝カバー１０の短手方向は、樹脂板を折曲することによって、天蓋部１１、第一垂壁部２２、傾斜面２３、第二垂壁部２４、水平部２５、第三垂壁部２６を形成するようにしてあるから、原材料となる透明樹脂板の短手寸法は、概ね５０ｃｍ程度が必要である。これは例えば、天蓋部１１の幅を３０ｃｍとて、第一垂壁部２２のそれぞれに１５ｍｍ、傾斜面２３のそれぞれに３５ｍｍ、第二垂壁部２４のそれぞれに２０ｍｍ、水平部２５のそれぞれに１５ｍｍ、第三垂壁部２６のそれぞれに１５ｍｍの寸法を与えたとき、短手方向の寸法総計が約５０ｍｍとなるからである。
【００２９】
原材料となる透明樹脂板の肉厚は、例えば、２〜８ｍｍ程度である。この範囲の肉厚をもった透明樹脂板は市場に広く流通しており、入手も容易である。
【００３０】
透明樹脂板の折曲は、肉厚３ｍｍ以上の透明樹脂板を用いる場合は、熱処理加工によって折り曲げる。熱処理加工は、例えば、熱線ヒータを加工用ベンダーの下刃に取り付け、１２０℃程度で約１分ほど加熱したあと折り曲げればよい。樹脂の種類や肉厚によって加熱温度には若干の相異があるが、概ね、１２０〜１６０℃の範囲で一分程度の加熱を行えば、市販されている類の透明樹脂の折り曲げ加工は可能である。なお、透明樹脂板の肉厚を３ｍｍ以下とする場合は、加熱しなくても常温で折曲できる（いわゆる冷間曲げ）。降雪量がさほど多くない地方では、透明樹脂板の肉厚を３ｍｍ以下としても良い場合がある。
【００３１】
この実施形態では、天蓋部１１を逆Ｖ字状として成形してある。降雪時の重量軽減に優れた形状であり、雨水や融雪水を排水溝に流し落とすにも適した形状であって、天蓋部１１の長手方向に沿って緩やかな折曲を行えば容易に成形できるからである。
【００３２】
天蓋部１１の傾斜角度は、緩やかで良い。天蓋部１１には、小屋裏を介して屋内の熱が加わり、大きな積雪荷重は加わらないからである。天蓋部１１を断面逆Ｖ字状とする場合、傾斜角度は、例えば、５〜１０度で良い。さらに云えば、住宅に人が居住して暖房を使っている限り、もともと、この天蓋部１１には、大きな積雪荷重が加わらない。小屋裏から熱が加わるからである。従って、天蓋部１１の形状は、フラットな平板であっても良いし、谷形をなすＶ字状、Ｕ字状であっても構わない。もちろん、断面逆Ｕ字状のドーム形でも良い。
【００３３】
本実施形態において、天蓋部１１の形状を断面逆Ｖ字状としてあるのは、専ら、小屋裏を介して与えられる熱と、それに伴う融雪現象に対する十分な理解をもたないユーザに対して心理的な安心感を与え、需要を確保するためである。
【００３４】
天蓋部１１には、雨水、降雪、融雪水等を排水溝に逃がすための複数個の孔部を１７を設けておく。孔部１７の形状は任意であるが、成形しやすい円形とするのが望ましい。孔部１７の径は、天蓋部１１にかかる降雪重量に耐える剛性を損なわない範囲で、ある程度の大きさをもたせることが望ましい。例えば、１８〜２５ｍｍである。径２２ｍｍが最も好ましい。透明樹脂板の肉厚を５〜８ｍｍとした場合に、十分な剛性を確保でき、ドリル径（例えばステップドリル）との関係で、成形しやすいからである。
【００３５】
排水溝５の上端部（葺き板Ｐの先端近傍）に嵌合させるための嵌合部２１は、第一垂壁部２２、傾斜面２３、第二垂壁部２４、水平部２５、第三垂壁部２６を備える。排水溝５の上端部を構成している屋根の葺き板Ｐの突出部が、傾斜面２３、第二垂壁部２４、水平部２５が作る凹部に嵌合するようにさせてある。
【００３６】
そして、凹部の最奥に位置する第二垂壁部２４に、雨水や融雪水を排水溝５に逃がすための孔部２７を設ける。無落雪住宅の屋根は緩やかに傾斜しているので、当該屋根（Ｐ）を伝わって流れ落ちる雨水や融雪水は、屋根（Ｐ）の先端部の突き当たりに位置する第二垂壁部２４の孔部２７を通って、速やかに排水溝５に流れる。第二垂壁部２４の上下寸法は過度に大きくする必要がなく、例えば１０〜２０ｍｍ、好ましくは１５ｍｍ程度に設定しておけばよいので、当該第二垂壁部２４に設ける孔部２７も、その径寸は、第二垂壁部２４の剛性を損なわない程度の大きさにしておくことが望ましい。例えば、径寸法７〜１２ｍｍ、好ましくは９ｍｍ程度である。
【００３７】
排水溝５の上端部に排水溝カバー１０を装着する場合、葺き板Ｐの突出部と嵌合させるための凹部（傾斜面２３、第二垂壁部２４、水平部２５）があればよく、第三垂壁部２６は必要がないとも云える。しかしながら、嵌合部２１に第三垂壁部２６を設けることによって、凹部（傾斜面２３、第二垂壁部２４、水平部２５）まわりの剛性が高まり、また、装着時、取り外し時の作業性が向上する等の利点が生まれる。この排水溝カバー１０は、透明樹脂板によって一体成形してあるので、第三垂壁部２６の外側に若干の力を与えることによって、屋根の葺き板Ｐの先端部に容易に凹部を嵌合させ、容易に取り外すことが出来るからである。
【００３８】
従って、かかる排水溝カバー１０によれば、排水溝カバー１０の内側の状態、とくにドレンまわりのゴミの状態を外部から容易に視認して、必要に応じた適切な処置を講ずることが出来る。また、樹脂板の一体成形品であるから、製品コストを抑えることが可能である。嵌合部２１は、押圧すれば撓むので、装着させやすく、取り外しも容易である。
【００３９】
積雪荷重に抗するための不必要な連結材をもたないため、製造、保管、搬送、設置、撤去の各段において、作業効率を確実に向上させることが出来る。
【００４０】
なお、本考案に係る排水溝カバー１０は、前記説明のものに限定されない。例えば、天蓋部１１の断面形状は、逆Ｖ字状に限定されない。これはすでに述べた通りである。別荘住宅のように、ひとがいない時間が長い無落雪住宅であれば、排水溝カバー１０の天蓋部１１の形状は、断面略逆Ｙ字状、断面略逆Ｕ字状とすることが望ましいのであるが、都市住宅のように常時ひとが居住して暖房している無落雪住宅では、小屋裏を通した熱によって排水溝カバー１０まわりの雪は速やかに溶ける。このため、降雪重量を特に考慮しなくても天蓋部１１は破損しにくいからである。平板状、Ｖ字状、Ｕ字状、矩形凹状などの形状であっても構わない。融雪溝と排水溝カバー１０とが作る空間体積が小さいほど、小屋裏からの熱による融雪効率が高めやすい。
【００４１】
嵌合部２１を構成する、第一垂壁部２２、第二垂壁部２４、水平部２５、第三垂壁部２６の傾斜角度は、とくに限定されない。傾斜面２３の傾斜角度は、無落雪住宅の屋根（Ｐ）の傾斜角を考慮して設定することが望ましい。無落雪住宅の屋根（Ｐ）の傾斜は、概ね、１５〜２５度程度であるから、それよりも若干大きく、余裕をもたせた角度、例えば２５〜４５度に設定しておけば、傾斜角の異なる各種タイプの無落雪屋根にも柔軟に対応して適用することが可能となる。
【符号の説明】
【００４２】
５  排水溝
１０  排水溝カバー
１１  天蓋部
１７、２７  孔部
２１  嵌合部
２２  第一垂壁部
２３  傾斜部
２４  第二垂壁部
２５  水平部
２６  第三垂壁部
Ｐ  葺き板
【図１】
0003159835.tif 000003
【図２】
0003159835.tif 000004
【図３】
0003159835.tif 000005
【図４】
0003159835.tif 000006
【図５】
0003159835.tif 000007
【図６】
0003159835.tif 000008
【図７】
0003159835.tif 000009